(57)【要約】【課題】意匠のバリエーションに富み、容易かつ安価に製造することのできる電子機器の外装ケースを提供する。【解決手段】外側の化粧材１２２が有色の透明樹脂層で、内側のリアケース本体１２１が有色の不透明樹脂層で構成された二色成形製の折り畳み式携帯電話機１００のリアケース１２は、有色の不透明樹脂層の一部を有色の透明樹脂層から露出させる。【選択図】図３
2008054133.tif 000002
【特許請求の範囲】
【請求項１】
外側が有色の透明樹脂層で、内側が有色の不透明樹脂層で構成された二色成形製の電子機器の外装ケースにおいて、
前記有色の不透明樹脂層の一部を前記有色の透明樹脂層から露出させたことを特徴とする電子機器の外装ケース。
【請求項２】
表示側筐体と操作側筐体とがヒンジ部を介して折り畳み可能に連結された電子機器における前記表示側筐体の折り畳んだ際に外側に位置するケースであることを特徴とする請求項１に記載の電子機器の外装ケース。
【請求項３】
前記有色の不透明樹脂層の一部を前記有色の透明樹脂層から露出させる領域は、前記外側に位置するケースのヒンジ部側であることを特徴とする請求項２に記載の電子機器の外装ケース。
【発明の詳細な説明】
【技術分野】
【０００１】
本発明は、二色成形製の電子機器の外装ケースに関する。
【背景技術】
【０００２】
最近の携帯電話機等の電子機器では、デザイン性を向上させるために、外装ケースに装飾処理が施されている。従来の装飾処理方法は、樹脂ケースの表面に顔料が混入されたアクリル系樹脂塗料をスプレー塗装して装飾用の塗膜層を形成し、その上に、紫外線硬化型塗料をスプレー塗装して保護用の透明塗装膜を形成していた。
例えば、白色のＡＢＳ系樹脂製の携帯電話機や携帯ゲーム機の外装部品の表面に、希土類酸化物超微粒子（Ｈｏ2Ｏ2（酸化ホルミューム）やＮｄ２Ｏ2（酸化ネオジューム）等の微粒子が混入されたアクリル系樹脂塗料をスプレー塗装して可逆的変色性（演色性）を有する塗膜層を形成し、その上に紫外線硬化型塗料をスプレー塗装して透明塗膜層を形成している（特許文献１参照）。また、フレーク状や粒子状の光輝性顔料が混入されたアクリル系樹脂塗料をスプレー塗装してベース塗膜層を形成し、その上に、紫外線硬化型クリア塗料をスプレー塗装してトップクリヤー塗膜層を形成している（特許文献２参照）。
【特許文献１】特開２００１−２０５１８１号公報
【特許文献２】特開２００４−１６０７１８号公報
【発明の開示】
【発明が解決しようとする課題】
【０００３】
しかしながら、上記特許文献１及び２に記載の方法は、ケース本体を形成した後に装飾層を塗装で形成する方法であるので、製造に手間がかかるという問題があった。また、塗装の場合、例えば下地であるケース本体を部分的に露出させて下地の色を出す場合には、
色の違いなどによる別ピース化や塗装マスキングを行う必要があり、コスト高となるとともに部品点数が多くなるという問題があった。
本発明は、上記事情に鑑みてなされたもので、意匠のバリエーションに富み、容易かつ安価に製造することのできる電子機器の外装ケースを提供することを目的としている。
【課題を解決するための手段】
【０００４】
上記課題を解決するために、請求項１の発明は、外側が有色の透明樹脂層で、内側が有色の不透明樹脂層で構成された二色成形製の電子機器の外装ケースにおいて、
前記有色の不透明樹脂層の一部を前記有色の透明樹脂層から露出させたことを特徴とする。
【０００５】
請求項２の発明は、請求項１に記載の電子機器の外装ケースにおいて、
表示側筐体と操作側筐体とがヒンジ部を介して折り畳み可能に連結された電子機器における前記表示側筐体の折り畳んだ際に外側に位置するケースであることを特徴とする。
【０００６】
請求項３の発明は、請求項２に記載の電子機器の外装ケースにおいて、
前記有色の不透明樹脂層の一部を前記有色の透明樹脂層から露出させる領域は、前記外側に位置するケースのヒンジ部側であることを特徴とする。
【発明の効果】
【０００７】
本発明によれば、有色の不透明樹脂層の一部を有色の透明樹脂層から露出させることにより、外観に優れたものとなり、意匠のバリエーションを増やすことができる。また、容易かつ安価に製造することができる。
【発明を実施するための最良の形態】
【０００８】
以下、本発明の実施の形態を、折り畳み式携帯電話機を例に挙げて図面に基づいて説明する。
図１(a)は、折り畳み式携帯電話機１００を開いた状態の正面図、(b)は、携帯電話機１００を閉じた状態の正面図、(c)は、携帯電話機１００を閉じた状態の背面図、図２は、液晶ディスプレイ１５を内側にして閉じた状態における切断線II−IIに沿って切断した際の矢視断面図である。
折り畳み式携帯電話機１００は、液晶ディスプレイ１５が設けられた表示側筐体１と、操作キー群２５が設けられた操作側筐体２とがヒンジ部３によって開閉自在に連結されている。
表示側筐体１は、折り畳んだ際に内側に位置するフロントケース１１と、外側に位置するリアケース１２とから構成され、フロントケース１１とリアケース１２とが互いに嵌め合わされている。フロントケース１１の下端部にはフロントヒンジケース１３が設けられ、リアケース１２の下端部にはリアヒンジケース１４が設けられている。
フロントケース１１とリアケース１２との間には、液晶ディスプレイ１５や表示部側基板１６１（図６参照）等を支持する中ケース１６、レシーバー（通話用スピーカ）１７、着信ランプ部１８等が収容されている。
また、中ケース１６には、表示側筐体１と操作側筐体２とを開いた状態で表示側筐体１を操作側筐体２に対して回動動作させる際に中心となる上下に延在する回動軸１９（図６参照）が固定されており、回動軸１９の下端部には、回動軸１９と垂直となるように、操作側筐体２に対して開閉動作させる際に中心となる左右に延在する開閉軸２０（図６参照）に連結されている。回動軸１９は、フロントヒンジケース１３及びリアヒンジケース１４に覆われて外側から見えないようになっており、開閉軸２０は、後述の操作側筐体２のフロントケース２１及びリアケース２２に覆われて外側から見えないようになっている。このように回動軸１９、開閉軸２０、フロントヒンジケース１３及びリアヒンジケース１４によってヒンジ部３が構成されている。
【０００９】
図１(a)及び図２に示すように、フロントケース１１は、表面側に凹んだ略箱状のものであり、フロントケース本体１１１とフロントケース本体１１１の表面に一体成形された表示窓部材１１２とからなる二色成形されたものである。フロントケース本体１１１の上端部（ヒンジ部３と反対側の端部）の二つのコーナー部１１１a，１１１aがＲ加工されている。また、フロントケース本体１１１の表面でヒンジ部３側の下端部には、表面側に凸となるように滑らかに隆起した隆起部１１３が形成されている。フロントケース本体１１１は有色不透明の樹脂、例えば所望色の顔料が混入されたＡＢＳ樹脂から形成され、表示窓部材１１２は無色透明の樹脂、例えばポリカーボネート樹脂から形成されている。フロントケース本体１１１の表面には平面視長方形状の開口部１１１bが形成されている。表示窓部材１１２は、フロントケース本体１１１の表面全面を覆うものではなく、隆起部１１３が露出するように隆起部１１３を除いたフロントケース本体１１１の表面を覆うように一体成形されている。そして、開口部１１１bに露出する部分が表示窓とされている。
フロントケース１１とリアケース１２との間（表示側筐体１の内部）には液晶ディスプレイ１５が表示窓に対向するように収容されている。また、フロントケース１１の表示窓の上には通話孔１１４が形成されている。
【００１０】
図３は、リアケース１２の分解斜視図、図４は、リアケース１２の外側から見た際の斜視図、図５は、リアケース１２の内側から見た際の斜視図である。
リアケース１２は、裏面側に凹んだ略箱状のものであり、リアケース本体１２１とリアケース本体１２１の外装面となる裏面に一体成形された化粧材１２２とからなる二色成形されたものである。リアケース本体１２１は上述したフロントケース本体１１１の形状及び大きさと略等しく、その上端部（ヒンジ部３と反対側の端部）の二つのコーナー部１２１a，１２１aがＲ加工されている。また、リアケース本体１２１の裏面でヒンジ部３側の下端部には、裏面側に凸となるように滑らかに隆起した隆起部１２３が形成されている。隆起部１２３は、平面視略半楕円形状をなしている。
リアケース本体１２１は、有色不透明の樹脂層であり、例えば所望色の顔料が混入されたＡＢＳ樹脂から形成され、化粧材１２２は、顔料が混入された透明の樹脂層であり、例えば有色顔料や、ガラスや金属のビーズやフレーク等の光輝性顔料が混入されたポリカーボネート樹脂により形成する。透明樹脂層は一次成形で成形され、有色不透明樹脂層は二次成形で成形される。一次側の無色透明樹脂層は、二次側の有色不透明樹脂層よりも融点の高い樹脂であることが好ましい。このように一次側の無色透明樹脂層を高融点樹脂で形成することにより、二次成形時に一次側の無色透明樹脂層が溶け出しにくくなるためである。
【００１１】
リアケース１２の製造方法としては、例えば、無色透明のポリカーボネート樹脂に金属メッキしたガラスビーズ又は金属フレークを混入させたものを金型に注入し一次成形体である化粧材１２２を射出成形し、一度型開きをして、一次成形体をコア側に付着させたまま金型を閉じ、所望色の顔料が混入されたＡＢＳ樹脂を注入して成形し、再び型開きを行い脱型することによって、ガラスビーズや金属フレークが混入された透明樹脂層の化粧材１２２と有色不透明樹脂層のリアケース本体１２１とが一体成形される。このように化粧材１２２の透明樹脂材中にガラスビーズ又は金属フレークを混入させることによって、ガラスビーズ又は金属フレークの光の反射によって見る角度に応じて異なる色に見える。
【００１２】
化粧材１２２は、リアケース本体１２１の裏面全面を覆うものではなく、隆起部１２３が露出するように隆起部１２３を除いたリアケース本体１２１の裏面を覆うように一体成形されている。すなわち、化粧材１２２は、隆起部１２３と同形状の切欠部１２６が形成され、この切欠部１２６から隆起部１２３が凸状に露出している。
また、化粧材１２２である無色透明樹脂層の厚みは、二つのコーナー部１２２a，１２２a及びコーナー部１２２a，１２２a間を除いて０．５ｍｍと均一であり、コーナー部１２２a，１２２a及びコーナー部１２２a，１２２a間は、図４又は後述の図６のＡ部分に示すように、偏肉化されてその偏肉部分は０．５ｍｍよりも厚い。リアケース本体１２１である有色不透明樹脂層の厚みは０．６ｍｍである。
なお、図５に示すように、リアケース本体１２１のフロントケース１１との嵌め合わせ面には、ネジ用ボス１２４aや、中ケース１６やフロントケース１１との嵌め合わせ用の爪１２４b、剛性付与などの各種目的のためのリブ１２４cが設けられている。また、フロントケース本体１１１の嵌め合わせ面にも、リアケース本体１２１のネジ用ボス１２４aや爪１２４b、リブ１２４cや中ケース１６に対応したネジ用ボスや爪、リブが設けられている（図示しない）。
【００１３】
図６は、リアケース１２と中ケース１６の分解斜視図、図７は、図６のリアケース１２と中ケース１６とを組み立てた際の着信ランプ部１８の切断線VII−VIIに沿って切断した際の矢視断面図である。
リアケース本体１２１及び化粧材１２２には、フロントケース１１とリアケース１２との間に収容された着信ランプ部１８からの光をリアケース１２の外側に導くための貫通孔１２５がその表裏面を貫通して形成されている。フロントケース１１とリアケース１２との間で貫通孔１２５に対向するように着信ランプ部１８が配置されている。
着信ランプ部１８は、中ケース１６に支持された表示部側基板１６１に実装された着信ＬＥＤ１８１と、着信ＬＥＤ１８１からの光を反射する反射シート１８２と、反射シート１８２が貼り付けられて光を外部に導く導光ピース１８３と、着信ＬＥＤ１８１及び導光ピース１８３の一部を覆う遮光ラバー１８４とを備えている。導光ピース１８３は、貫通孔１２５と同形状をなし貫通孔１２５に嵌め込まれる凸部１８３aを有している。遮光ラバー１８４は、導光ピース１８３の凸部１８３aが挿入される挿入孔１８４aが形成されており、この挿入孔１８４aから凸部１８３aが突出するとともに凸部１８３aが貫通孔１２５に嵌め込まれている。着信ＬＥＤ１８１から発光された光が、反射シート１８２の側面から入射されて反射シート１８２で反射された後、導光ピース１８３を介して光が貫通孔１２５の外に放出される。なお、着信ＬＥＤ１８１は遮光ラバー１８４によって覆われているので光が漏れることがない。
【００１４】
一方、操作側筐体２は、図１(a)，(c)及び図２に示すように、折り畳んだ際に内側（表示側筐体１側）に位置するフロントケース２１と、外側に位置するリアケース２２とから構成されている。
フロントケース２１とリアケース２２との間には、折り畳み式携帯電話機１００全体を制御するメインプロセッサ等が設けられた回路基板２３を支持する中ケース２４、操作キー群２５、マイク（図示しない）、電池パック２６１、カメラユニット２７、メインアンテナ２８等が収容されている。
フロントケース２１は、表面側に窪んだ略箱状のものであり、表示側筐体１とは異なり単一色であり、例えば、ＡＢＳ樹脂、ポリカーボネート樹脂、或いはこれらを混合した混合樹脂から成形されており、また、これらの樹脂には所望色の有色顔料が混合されている。フロントケース２１の表面には内部に収容した操作キー群２５のうちのテンキー２５１やカーソルキー２５２等のキートップの周囲を表面側から囲む平面視略長方形状の開口部２１a，２１bが二つ形成されている。
リアケース２２は、裏面側に窪んだ略箱状のものであり、フロントケース２１と同様に単一色であり、例えば、ＡＢＳ樹脂、ポリカーボネート樹脂、或いはこれらを混合した混合樹脂から成形されている。リアケース２２の底面には内部に収容した電池パック２６１を外部に取り出し可能とする開口部が形成され、開口部が電池蓋２６２によって覆われている。また、リアケース２２の底面には内部に収容したカメラユニット２７のレンズ部２７１や撮影用の照明ライト２７２、ステレオスピーカ２７３等が露出されている（図１(c)参照）。
【００１５】
以上、本発明の実施の形態によれば、表示側筐体１のリアケース１２が、リアケース本体１２１と化粧材１２２との二色成形であり、有色透明樹脂層である化粧材１２２の切欠部１２６から有色不透明樹脂層であるケース本体１２２の隆起部１２３が露出しているので、外観に優れたものとなり、意匠のバリエーションを増やすことができる。また、一次側の化粧材に異なる色を施すために別ピース化や塗装マスキングを行う必要がなく、容易かつ安価に製造することができる。
【００１６】
なお、本発明は、上記実施の形態に限定されるものではなく、その要旨を逸脱しない範囲で適宜変更可能である。
上記実施の形態では表示側筐体１のフロントケース１１やリアケース１２について、化粧材１１２，１２２の一部からフロントケース本体１１１やリアケース本体１２１を露出させる構成としたが、これに限らず、操作側筐体２においても二色成形とし、同様の構成としても構わない。
また、上記実施の形態では折り畳み式携帯電話機１００に適用したが、携帯電話機１００に限らず、ＰＨＳ、トランシーバ、ＰＤＡ、携帯用パーソナルコンピュータ等の他の電子機器にも適用可能である。
【図面の簡単な説明】
【００１７】
【図１】(a)は、携帯電話機１００を開いた状態の正面図、(b)は、閉じた状態の正面図、(c)は、閉じた状態の背面図である。
【図２】液晶ディスプレイ１５を内側にして閉じた状態における切断線II−IIに沿って切断した際の矢視断面図である。
【図３】リアケース１２の分解斜視図である。
【図４】リアケース１２の外側から見た際の斜視図である。
【図５】リアケース１２の内側から見た際の斜視図である。
【図６】リアケース１２と中ケース１６の分解斜視図である。
【図７】着信ランプ部１８の切断線VII−VIIに沿って切断した際の矢視断面図である。
【符号の説明】
【００１８】
３  ヒンジ部
１２  リアケース（外装ケース）
１２１  リアケース本体
１２２  化粧材
１２３  隆起部
１００  折り畳み式携帯電話（電子機器）
【図１】
2008054133.tif 000003
【図２】
2008054133.tif 000004
【図３】
2008054133.tif 000005
【図４】
2008054133.tif 000006
【図５】
2008054133.tif 000007
【図６】
2008054133.tif 000008
【図７】
2008054133.tif 000009